(57)【要約】【課題】空気貯蔵容器からの空気を所定の流量で供給して対象空間を加圧しつつ、空気貯蔵容器に残留する空気の量をより低減可能な空気供給システムを提供する。【解決手段】空気供給システムは、空気貯蔵容器２からの空気を対象空間１に導く主流路５と、主流路５に設けられて空気貯蔵容器２からの空気を減圧する第１減圧弁８と、空気の流れを遮断可能な第１遮断弁７と、主流路５のうち第１減圧弁８及び第１遮断弁７より上流側から分岐して設けられて空気貯蔵容器２からの空気を第１減圧弁８及び第１遮断弁７を回避させて対象空間１に向けて導くバイパス流路６を有している。バイパス流路６には、空気の流れを遮断可能な第２遮断弁９が設けられている。主流路５のうち第１減圧弁８及び第１遮断弁７より上流側の圧力を測定可能な圧力測定装置（圧力指示スイッチ）４と、対象空間１に供給される空気の流量を制御する流量制御弁（流量調整弁）１２とを有する。【選択図】図１
2016122346.tif 000002
【特許請求の範囲】
【請求項１】
空気貯蔵容器からの空気を所定の対象空間に供給する空気供給システムであって、
前記空気貯蔵容器からの空気を前記対象空間に導く主流路と、
前記主流路に設けられており、前記空気貯蔵容器からの空気を所定の出口圧力に減圧する第１減圧弁と、
前記主流路に設けられており、空気の流れを遮断可能な第１遮断弁と、
前記主流路のうち第１減圧弁及び第１遮断弁より上流側から分岐して設けられており、前記空気貯蔵容器からの空気を、第１減圧弁及び第１遮断弁を回避させて、前記対象空間に向けて導くバイパス流路と、
前記バイパス流路に設けられており、空気の流れを遮断可能な第２遮断弁と、
前記主流路のうち第１減圧弁及び第１遮断弁より上流側の圧力を測定可能な圧力測定装置と、
前記対象空間に供給される空気の流量を制御する流量制御弁と、
を備えることを特徴とする空気供給システム。
【請求項２】
前記圧力測定装置は、第１遮断弁及び第２遮断弁のそれぞれの開閉を制御可能に構成されており、且つ、測定した圧力が所定の閾値を下回る場合、第２遮断弁を開いた後に第１遮断弁を閉じるよう構成されている
ことを特徴とする請求項１に記載の空気供給システム。
【請求項３】
第１遮断弁及び第２遮断弁は、手動操作可能に構成されており、
前記圧力測定装置は、前記主流路のうち当該第１減圧弁及び第１遮断弁より上流側の圧力を測定して表示する圧力指示計であり、
第１遮断弁、第２遮断弁及び当該圧力指示計は、前記対象空間内に配置されている
ことを特徴とする請求項１に記載の空気供給システム。
【請求項４】
前記バイパス流路のうち第２遮断弁より下流側に設けられており、前記空気貯蔵容器からの空気を前記出口圧力に減圧し、且つ入口圧力の最低使用圧力が第１減圧弁に比べて低い値となるよう構成されている第２減圧弁を、
さらに備えることを特徴とする請求項１又は請求項２に記載の空気供給システム。
【請求項５】
第２減圧弁は、第１減圧弁に比べて出口圧力が異なる値となるよう構成されている
ことを特徴とする請求項４に記載の空気供給システム。
【請求項６】
前記流量制御弁は、入口圧力の変化に関係なく、流量を所定の値に保つことが可能な流量調整弁である
ことを特徴とする請求項１ないし請求項５のいずれか一項に記載の空気供給システム。
【請求項７】
前記バイパス流路は、前記主流路から流入した空気を前記対象空間に直接導くものであり、
前記流量制御弁は、当該バイパス流路と当該主流路に、それぞれ対応して設けられている
ことを特徴とする請求項１ないし請求項５のいずれか一項に記載の空気供給システム。
【発明の詳細な説明】
【技術分野】
【０００１】
本発明の実施形態は、空気貯蔵容器からの空気を所定の対象空間に供給する空気供給システムに関する。
【背景技術】
【０００２】
原子発電所には、免震重要棟等、重大事故等に対処可能な施設がある。このような施設の周辺においては、重大事故が生じた場合、放射性物質等により外気が汚染されることがある。施設の居住性を確保するため、当該施設内の所定の空間（以下、対象空間と記す）については、所定の期間、外気が入り込まないようにすることが求められている。対象空間への外気の流入を防止するためには、当該対象空間に汚染されていない空気を供給して、当該対象空間を外気より高い圧力に保つ必要がある。
【０００３】
このため、空気ボンベ等の加圧された空気を貯蔵可能な容器（以下、空気貯蔵容器と記す）からの加圧された空気を、対象空間に供給するシステム（以下、単に「空気供給システム」と記す）が検討されている。空気供給システムは、空気貯蔵容器内に貯蔵されている高圧の空気を減圧すると共に、所定の流量を対象空間に供給することにより、当該対象空間を加圧することが可能である。複数の異なる口径の減圧弁を使用して、高圧蒸気を減圧する方法について開示されている文献もある。
【先行技術文献】
【非特許文献】
【０００４】
【非特許文献１】”ＤＰ２７型，ＤＰ２７Ｅ型，ＤＰ２７Ｒ型およびＤＰ２７Ｙ型パイロット型減圧弁  取扱説明書”、［online］、２０１２年、スパイラックス・サーコ（spirax sarco）リミテッド、［平成２６年１２月３日検索］、インターネット（ＵＲＬ：http://www2.spiraxsarco.com/jp/pdfs/IM/im-p470-03_ch6_dp27.pdf）
【発明の概要】
【発明が解決しようとする課題】
【０００５】
上述した空気供給システムにおいては、空気貯蔵容器からの空気を減圧弁において減圧して対象空間に供給する。このような減圧弁においては、出口圧力を安定させるために、入口圧力を、減圧弁の最低使用圧力（minimum working pressure）等、所定の値（例えば、５ＭＰａ）以上にすることが求められる。よって、空気貯蔵容器には、当該所定値を下回る圧力の空気が残っている。このような空気貯蔵容器に残留する空気の量が多いと、その分、多数の空気貯蔵容器が必要になる。したがって、上述した空気供給システムにおいては、対象空間に所定の流量で空気を供給しつつ、空気貯蔵容器に残留する空気の量をより低減させる技術が要望されている。
【０００６】
本発明の実施形態は、上記事情に鑑みてなされたものであって、空気貯蔵容器からの空気を所定の流量で供給して対象空間を加圧しつつ、空気貯蔵容器に残留する空気の量をより低減可能な空気供給システムを提供することを目的とする。
【課題を解決するための手段】
【０００７】
上述の目的を達成するため、本発明の実施形態の空気供給システムは、空気貯蔵容器からの空気を所定の対象空間に供給する空気供給システムであって、前記空気貯蔵容器からの空気を前記対象空間に導く主流路と、前記主流路に設けられており、前記空気貯蔵容器からの空気を所定の出口圧力に減圧する第１減圧弁と、前記主流路に設けられており、空気の流れを遮断可能な第１遮断弁と、前記主流路のうち第１減圧弁及び第１遮断弁より上流側から分岐して設けられており、前記空気貯蔵容器からの空気を、第１減圧弁及び第１遮断弁を回避させて、前記対象空間に向けて導くバイパス流路と、前記バイパス流路に設けられており、空気の流れを遮断可能な第２遮断弁と、前記主流路のうち第１減圧弁及び第１遮断弁より上流側の圧力を測定可能な圧力測定装置と、前記対象空間に供給される空気の流量を制御する流量制御弁と、を備えることを特徴とする。
【発明の効果】
【０００８】
本発明の実施形態によれば、空気貯蔵容器からの空気を所定の流量で継続的に供給して対象空間を加圧しつつ、空気貯蔵容器に残留する空気の量をより低減させることができる。
【図面の簡単な説明】
【０００９】
【図１】第１の実施形態の空気供給システムの構成を示す模式図である。
【図２】第２の実施形態の空気供給システムの構成を示す模式図である。
【図３】第３の実施形態の空気供給システムの構成を示す模式図である。
【図４】第４の実施形態の空気供給システムの構成を示す模式図である。
【図５】第５の実施形態の空気供給システムの構成を示す模式図である。
【発明を実施するための形態】
【００１０】
以下に、本発明の実施形態について図面を参照して説明する。なお、以下に説明する実施形態により、本発明が限定されるものではなく、その要旨を逸脱しない範囲において種々の変更が可能である。
【００１１】
〔第１の実施形態〕
第１の実施形態の空気供給システムの構成について図１を用いて説明する。図１は、本実施形態の空気供給システムの構成を示す模式図である。
【００１２】
（空気供給システムの構成）
図１に示すように、対象空間１は、原子力施設内に設けられており、原子力施設を構成する壁体により囲まれた空間である。対象空間１は、後述する空気貯蔵容器２から空気の供給を受ける。本実施形態において、対象空間１を画定する壁体には、外部と対象空間１とを連通させることが可能な図示しないダクトが設けられている。外気が汚染されている場合、当該ダクトが閉じられた状態で、対象空間１は、複数の空気貯蔵容器２から空気の供給を受ける。空気供給システムは、空気貯蔵容器２から空気の供給を受けて、外気より高い圧力に加圧することにより、放射性物質等により汚染された外気が、対象空間１に流入することを防止する。
【００１３】
空気供給システムは、対象空間１に空気を供給する空気供給源として、複数の空気貯蔵容器２を有している。本実施形態において、空気貯蔵容器２は、略円筒形をなしており、高圧の空気を貯蔵可能な容器、いわゆる「空気ボンベ」として構成されている。各空気貯蔵容器２には、高圧の空気が充填、貯蔵されている。加えて、空気供給システムは、空気貯蔵容器２からの空気を、対象空間１に導く流路として、主流路５を有している。主流路５は、空気貯蔵容器２に比較的高い圧力の空気が残っているときに、空気貯蔵容器２からの空気を対象空間１に導く流路である。
【００１４】
なお、以下の説明において、空気の流動方向のうち、空気貯蔵容器２側を、単に「上流側」と記し、対象空間１側を、単に「下流側」と記す。また、以下に説明する各種の弁において、上流側の圧力を「入口圧力」と記し、下流側の圧力を「出口圧力」と記す。
【００１５】
主流路５には、空気貯蔵容器２からの空気を減圧する減圧弁（pressure regulator、以下「第１減圧弁」と記す）８が設けられている。第１減圧弁８は、いわゆる出口圧力を（入口圧力より低い範囲で）所定の値に保つよう構成されている。
【００１６】
また、主流路５のうち第１減圧弁８より上流側には、当該主流路５の空気の流れを遮断可能な遮断弁（isolating valve、以下「第１遮断弁」と記す）７が設けられている。第１遮断弁７は、電磁石によって操作される、いわゆる電磁弁である。第１遮断弁７の開閉は、後述する圧力指示スイッチ４により制御される。
【００１７】
また、主流路５のうち下流側の端部である合流流路５ｅは、上述した壁体を貫通して対象空間１内に延びている。主流路５のうち対象空間１内には、対象空間１に流入する空気の流量を制御する流量制御弁として、電動式の流量調整弁１２が設けられている。
【００１８】
流量調整弁１２は、弁体を電気駆動可能なものであり、入口圧力の変化に関係なく、流量を所定の値に保つことが可能なものである。すなわち、流量調整弁１２は、圧力補償機能を有している。なお、流量調整弁１２は、流量計の機能を兼ね備えているものとしても良い。
【００１９】
また、主流路５のうち、第１遮断弁７より上流側には、空気貯蔵容器２内及び供給流路５ａの空気の圧力を測定可能な圧力測定装置として、圧力指示スイッチ４が設けられている。圧力指示スイッチ４は、測定した圧力が所定の値に達したときに電気回路を開閉する機器である。本実施形態の圧力指示スイッチ４の機能については、後述する。
【００２０】
本実施形態の空気供給システムは、空気貯蔵容器２からの空気を、上述した第１減圧弁８及び第１遮断弁７を回避させて、対象空間１に向けて導く流路（以下、バイパス流路と記す）６が設けられている。バイパス流路６の上流側の端部は、主流路５のうち第１減圧弁８及び第１遮断弁７より上流側から分岐して設けられている。
【００２１】
バイパス流路６の下流側の端部は、主流路５のうち流量調整弁１２より上流側であって、第１減圧弁８より下流側に接続されている。バイパス流路６は、空気貯蔵容器２からの空気を、第１遮断弁７及び第１減圧弁８を回避させて、流量調整弁１２の上流側に導く。
【００２２】
なお、以下の説明において、主流路５のうちバイパス流路６より上流側を、特に「供給流路５ａ」と記す。本実施形態において、圧力指示スイッチ４は、供給流路５ａに設けられている。
【００２３】
また、主流路５のうちバイパス流路６より下流側を、特に「合流流路５ｅ」と記す。なお、各図面において、バイパス流路６の下流側であってバイパス流路６の空気が主流路５に合流する部分を合流部１０とする。本実施形態の合流流路５ｅには、流量調整弁１２が設けられている。
【００２４】
また、バイパス流路６には、当該バイパス流路６の空気の流れを遮断可能な遮断弁（以下、第２遮断弁と記す）９が設けられている。第２遮断弁９は、電磁石によって操作される、いわゆる電磁弁である。第２遮断弁９の開閉は、圧力指示スイッチ４により制御される。
【００２５】
圧力指示スイッチ４は、第１遮断弁７及び第２遮断弁９のそれぞれの開閉を制御可能に構成されており、且つ、測定した圧力、すなわち空気貯蔵容器２内及び供給流路５ａの圧力が所定の閾値を下回る場合に、開いている第１遮断弁７を閉じると共に、閉じている第２遮断弁９を開くよう構成されている。
【００２６】
（空気供給システムの動作）
以上のように構成された本実施形態の空気供給システムにおいて、主流路５に設けられた第１遮断弁７を開くと共にバイパス流路６に第２遮断弁９を閉じることにより、空気貯蔵容器２内に貯蔵されている高圧の空気は、当該第１遮断弁７を通って、第１減圧弁８において所定の出口圧力に減圧される。第１減圧弁８により減圧された空気は、合流流路５ｅを通って流量調整弁１２により流量が調整されて、対象空間１に供給される。
【００２７】
一方、空気貯蔵容器２内に貯蔵されている空気の残量が少なくなると、供給流路５ａの圧力が低下する。圧力指示スイッチ４は、測定した供給流路５ａの圧力が所定の閾値を下回る場合、第２遮断弁９を開いた後に第１遮断弁７を閉じる。
【００２８】
これにより、空気貯蔵容器２からの空気は、供給流路５ａからバイパス流路６を通って合流流路５ｅに流れる。バイパス流路６は、空気貯蔵容器２からの空気を、第１減圧弁８及び第１遮断弁７を回避させて、対象空間１に向けて導く。合流流路５ｅに流れた空気は、流量調整弁１２により流量が調整されて、対象空間１に供給される。本実施形態によれば、空気貯蔵容器２内の空気の圧力が対象空間１の圧力より高い限り、空気貯蔵容器２からの空気を、常に所定の流量で対象空間１に供給することができる。
【００２９】
〔第２の実施形態〕
第２の実施形態の空気供給システムの構成について図２を用いて説明する。図２は、本実施形態の空気供給システムの構成を示す模式図である。なお、第１の実施形態と略共通の構成については、同一の符号を付して説明を省略する。
【００３０】
図２に示すように、本実施形態の空気供給システムにおいて、バイパス流路６のうち第２遮断弁９より下流側には、空気貯蔵容器２からの空気を減圧する減圧弁（以下、第２減圧弁と記す）１３が設けられている。第２減圧弁１３は、第１減圧弁８と同様に出口圧力を所定の値に保つよう構成されている。
【００３１】
第２減圧弁１３は、正常動作のために必要な入口圧力の最低使用圧力が、上述した第１減圧弁８と異なっている。本実施形態において、第２減圧弁１３は、入口圧力の最低使用圧力が、第１減圧弁８の入口圧力の最低使用圧力に比べて低い値となるよう構成されている。また、第２減圧弁１３と第１減圧弁８は、出口圧力が同じ値となるよう構成されている。第１減圧弁８及び第２減圧弁１３は、入口圧力が所定の最低使用圧力以上であるときに正常に作動して、出口圧力を所定の値に保つ。
【００３２】
また、主流路５のうち合流流路５ｅには、対象空間１に供給される空気の流量を制御する流量制御弁として、絞り作用によって流量を制限する絞り弁１５が設けられている。合流流路５ｅのうち絞り弁１５より上流側には、対象空間１に流入する空気の流量を測定して表示する流量計１４が設けられている。
【００３３】
本実施形態の空気供給システムにおいても、空気貯蔵容器２内に貯蔵されている空気の残量が少なくなり、供給流路５ａの圧力が低下し所定の閾値を下回る場合に、圧力指示スイッチ４は、第２遮断弁９を開いた後、第１遮断弁７を閉じる。これにより、空気貯蔵容器２からの空気は、供給流路５ａからバイパス流路６に流れて、第２減圧弁１３により減圧される。減圧された空気は、合流流路５ｅにおいて絞り弁１５により流量が調整されて、対象空間１に供給される。
【００３４】
本実施形態においては、第１減圧弁８と第２減圧弁１３は、出口圧力が同じとなるよう構成されているため、絞り弁１５を通って対象空間１に供給される供給空気量には、変化が生じない。
【００３５】
本実施形態によれば、空気貯蔵容器２内の空気の圧力が、第１減圧弁８よりも低い値である第２減圧弁１３の入口圧力の最低使用圧力となるまで、所定の流量の空気を常に対象空間１に供給することができる。入口圧力が第１減圧弁８の最低使用圧力を下回っても、第２減圧弁１３の最低使用圧力となるまで空気貯蔵容器２内の空気を使用することができる。
【００３６】
なお、本実施形態においては、対象空間１に供給される空気の流量を制御する流量制御弁として、絞り弁１５が用いられるものとしたが、本発明に係る流量制御弁は、これに限定されるものではない。流量制御弁は、空気の流量を制御可能なものであれば良く、本実施形態の絞り弁１５に代えて、圧力補償機能を有する流量調整弁１２（図１参照）を用いるものとしても良い。
【００３７】
〔第３の実施形態〕
第３の実施形態の空気供給システムの構成について図１及び図３を用いて説明する。図３は、本実施形態の空気供給システムの構成を示す模式図である。なお、第１の実施形態と略共通の構成については、同一の符号を付して説明を省略する。
【００３８】
図３に示すように、本実施形態の空気供給システムにおいて、主流路５に設けられた第１遮断弁１７と、バイパス流路６に設けられた第２遮断弁１８は、手動操作可能に構成されている。加えて、主流路５のうち第１遮断弁１７及び第１減圧弁８より上流側の圧力を測定可能な圧力測定装置として、供給流路５ａの圧力を測定して表示する圧力指示計１６が設けられている。
【００３９】
本実施形態において、供給流路５ａを含む主流路５と、バイパス流路６は、一部が対象空間１内を通っており、手動操作可能な第１遮断弁１７及び第２遮断弁１８と、測定した圧力を表示する圧力指示計１６は、対象空間１内に配置されている。
【００４０】
本実施形態の空気供給システムによれば、対象空間１内にいる作業員が、圧力指示計１６を視認して、手動により第１遮断弁１７及び第２遮断弁１８を操作することができる。空気貯蔵容器２内の空気の圧力が低下した場合に、第２遮断弁１８を開いた後、第１遮断弁１７を閉じる。これにより、空気貯蔵容器２からの空気を、入口圧力の最低使用圧力が第１減圧弁８より低い第２減圧弁１３を通して、対象空間１に供給することができる。これにより、電源喪失状態においても、常に所定の流量の空気を対象空間１に供給することが可能となる。
【００４１】
〔第４の実施形態〕
第４の実施形態の空気供給システムの構成について図１及び図４を用いて説明する。図４は、本実施形態の空気供給システムの構成を示す模式図である。なお、第１及び第３の実施形態と略共通の構成については、同一の符号を付して説明を省略する。
【００４２】
図４に示すように、本実施形態の空気供給システムにおいて、バイパス流路６に設けられた第２減圧弁１９は、主流路５に設けられた第１減圧弁８と出口圧力が異なる値となるよう構成されている。例えば、第２減圧弁１９は、第１減圧弁８に比べて出口圧力が低い値となるよう構成することができる。
【００４３】
また、主流路５のうち合流流路５ｅには、上述した流量調整弁１２が設けられている。流量調整弁１２は、入口圧力の変化に関係なく、流量を所定の値に保つことが可能なものである。空気貯蔵容器２内の空気の圧力が低下して、空気貯蔵容器２内の空気の圧力が低下した場合に、第２遮断弁９を開いた後第１遮断弁７を閉じることにより、空気貯蔵容器２からの空気を、バイパス流路６にある第２減圧弁１９を通して、対象空間１に供給する。
【００４４】
本実施形態によれば、第２減圧弁１９は、出口圧力が第１減圧弁８と異なるため、合流流路５ｅの圧力すなわち流量調整弁１２の入口圧力が変化するが、流量調整弁１２は、当該入口圧力の変化に関係なく空気の流量を所定の値に保つことが可能であるため、対象空間１に供給される空気の流量に変動が生じることがない。第１減圧弁８と第２減圧弁１９で出口圧力が異なる場合においても、継続して所定の流量の空気を対象空間１に供給することができる。
【００４５】
〔第５の実施形態〕
第５の実施形態の空気供給システムの構成について図１及び図５を用いて説明する。図５は、本実施形態の空気供給システムの構成を示す模式図である。なお、第１及び第４の実施形態と略共通の構成については、同一の符号を付して説明を省略する。
【００４６】
図５に示すように、本実施形態の空気供給システムにおいて、バイパス流路６は、対象空間１内にまで延びており、主流路５から流入した空気を対象空間１に直接導く。また、バイパス流路６に設けられた第２減圧弁１９は、主流路５に設けられた第１減圧弁８と出口圧力が異なる値となるよう構成されている。
【００４７】
本実施形態においては、対象空間１に供給される空気の流量を制御する流量制御弁として、絞り弁２１，２３が設けられている。絞り弁２１と絞り弁２３は、それぞれ、主流路５とバイパス流路６に設けられている。主流路５のうち対象空間１内に延びている部分には、第１絞り弁２１が設けられており、バイパス流路６のうち対象空間１内に延びている部分には、第２絞り弁２３が設けられている。
【００４８】
対象空間１内において、主流路５のうち第１絞り弁２１より上流側には、第１絞り弁２１を通って対象空間１に供給される空気の流量を測定して表示する流量計２０が設けられている。同様に、バイパス流路６のうち第２絞り弁２３より上流側には、第２絞り弁２３を通って対象空間１に供給される空気の流量を測定して表示する流量計２２が設けられている。
【００４９】
空気貯蔵容器２から空気を、主流路５に設けられた第１減圧弁８により減圧して第１絞り弁２１から対象空間１に供給する場合、バイパス流路６に設けられた第２遮断弁９及び第２絞り弁２３は、閉じられている。
【００５０】
対象空間１に空気を供給する流路を、主流路５からバイパス流路６に切り替える際、まず、第２遮断弁９を開くことにより、第１遮断弁７及び第２遮断弁９を双方共に開状態にした後、流量計２０及び流量計２２が表示する流量を確認しながら、第２絞り弁２３の流量を徐々に増大させると共に、第１絞り弁２１の流量を徐々に減少させる。第２絞り弁２３の流量が所定の値となったときに、第１絞り弁２１を閉じてから第１遮断弁７を閉じる。
【００５１】
本実施形態によれば、バイパス流路６に設けられた第２減圧弁１９と、主流路５に設けられた第１減圧弁８との出口圧力が異なる場合であっても、主流路５からバイパス流路６に切り替える際に、対象空間１内に所定の流量の空気を継続して供給することができる。
【００５２】
なお、本実施形態において、対象空間１に供給される空気の流量を制御する流量制御弁として、第１絞り弁２１及び第２絞り弁２３が用いられるものとしたが、本発明に係る流量制御弁は、これに限定されるものではない。第１絞り弁２１及び第２絞り弁２３のうち少なくとも一方に、圧力補償機能を有する流量調整弁１２（図１参照）を用いるものとしても良い。
【００５３】
〔他の実施形態〕
以上に説明した各実施形態において、主流路５の供給流路５ａには、圧力指示計や圧力指示スイッチが設けられるものとしたが、本発明に係る圧力測定装置は、この態様に限定されるものではない。本発明に係る圧力測定装置は、主流路５のうち第１減圧弁及び第１遮断弁より上流側、すなわち空気貯蔵容器２から吐出された空気の圧力を測定可能なものであれば良い。
【００５４】
また、各実施形態において、加圧された空気を貯蔵する空気貯蔵容器２は、略円筒形をなしており、高圧の空気を貯蔵可能な容器である空気ボンベであるものとしたが、本発明に係る空気貯蔵容器は、この態様に限定されるものではない。空気貯蔵容器は、加圧された空気を貯蔵可能なものであれば良く、例えば、様々な形状のタンクを用いることもできる。
【００５５】
以上、本発明のいくつかの実施形態について説明したが、これらの実施形態は、例として提示したものであり、発明の範囲を限定することは意図していない。これらの実施形態はその他の様々な形態で実施されることが可能であり、発明の要旨を逸脱しない範囲で、種々の省略、置き換え、変更を行うことができる。これらの実施形態やその変形例は、発明の要旨に含まれると同様に、特許請求の範囲に記載された発明と均等の範囲に含まれる。
【符号の説明】
【００５６】
１  対象空間
２  空気貯蔵容器（空気ボンベ）
４  圧力指示スイッチ（圧力測定装置）
５  主流路
５ａ  供給流路（主流路）
５ｅ  合流流路（主流路）
６  バイパス流路
７  第１遮断弁
８  第１減圧弁
９  第２遮断弁
１２  流量調整弁（流量制御弁）
１３  第２減圧弁
１４  流量計
１５  絞り弁（流量制御弁）
１６  圧力指示計（圧力測定装置）
１７  第１遮断弁
１８  第２遮断弁
１９  第２減圧弁
２０  流量計
２１  第１絞り弁（絞り弁、流量制御弁）
２２  流量計
２３  第２絞り弁（絞り弁、流量制御弁）
【図１】
2016122346.tif 000003
【図２】
2016122346.tif 000004
【図３】
2016122346.tif 000005
【図４】
2016122346.tif 000006
【図５】
2016122346.tif 000007